(57)【要約】  【課題】  横縞模様及びドーミングによる色ズレが低減され、表示画像品質が向上したカラー陰極線管を提供する。  【解決手段】  垂直方向に引っ張り力が付与された状態で架張されたシャドウマスクは、第１開孔１４ａと、第２開孔１４ｂと、第３開孔１４ｃと、これらの開孔間のブリッジ２０とが垂直方向に沿って配列された複数の孔列１５を有する。ブリッジ２０の垂直方向の中心位置を通る水平方向線を水平方向中心線とし、第１開孔１４ａ、第２開孔１４ｂ、及び第３開孔１４ｃを垂直方向にそれぞれ挟む一対のブリッジの水平方向中心線の垂直方向間隔を順にＰBa、ＰBb、ＰBcとしたとき、ＰBb＝Ｎ１×ＰBa、ＰBc＝Ｎ２×ＰBa（Ｎ１，Ｎ２は自然数、１＜Ｎ１＜Ｎ２）を満足する。水平方向に隣り合う２つの孔列１５に含まれる全てのブリッジ２０についての水平方向中心線の垂直方向の間隔は略一定である。【選択図】  図３
2005056712.tif 000002
【特許請求の範囲】
【請求項１】
枠状のフレームと、前記フレームに垂直方向に引っ張り力が付与された状態で架張されたシャドウマスクとを備えたカラー陰極線管であって、
前記シャドウマスクは、垂直方向に沿った複数の孔列を有し、
前記孔列は、第１開孔と、第２開孔と、第３開孔と、これらの開孔間のブリッジとを有し、
前記ブリッジの垂直方向の中心位置を通る水平方向線を水平方向中心線とし、前記第１開孔、前記第２開孔、及び前記第３開孔を垂直方向にそれぞれ挟む一対のブリッジの前記水平方向中心線の垂直方向間隔を順にＰBa、ＰBb、ＰBcとしたとき、ＰBb＝Ｎ１×ＰBa、ＰBc＝Ｎ２×ＰBa（Ｎ１，Ｎ２は自然数、１＜Ｎ１＜Ｎ２）を満足し、
水平方向に相互に隣り合う任意の２つの前記孔列に含まれる全ての前記ブリッジについての前記水平方向中心線の垂直方向の間隔が略一定であることを特徴とするカラー陰極線管。
【請求項２】
前記孔列に含まれる開孔のうち、垂直方向幅が最も大きな開孔を垂直方向に挟む一対のブリッジの前記水平方向中心線の垂直方向間隔が３ｍｍ以下である請求項１に記載のカラー陰極線管。
【請求項３】
前記第１開孔、前記第２開孔、及び前記第３開孔の水平方向幅をそれぞれＷa，Ｗb，Ｗcとしたとき、Ｗa＞Ｗb且つＷa＞Ｗcを満足する請求項１に記載のカラー陰極線管。
【請求項４】
前記第１開孔、前記第２開孔、及び前記第３開孔の水平方向幅をそれぞれＷa，Ｗb，Ｗcとしたとき、Ｗa＞Ｗb＞Ｗcを満足する請求項１に記載のカラー陰極線管。
【請求項５】
水平方向に相互に隣り合う任意の２つの前記孔列にそれぞれ含まれる前記ブリッジが水平方向に並ばない請求項１に記載のカラー陰極線管。
【請求項６】
水平方向に相互に隣り合う２つの前記孔列からなる繰り返し単位を水平方向に繰り返した開孔配置パターンを有する請求項１に記載のカラー陰極線管。
【発明の詳細な説明】
【技術分野】
【０００１】
本発明はシャドウマスクを備えたカラー陰極線管に関する。
【背景技術】
【０００２】
カラー陰極線管では、電子銃から射出される電子ビームが、シャドウマスクに形成された開孔を通過した後、蛍光体スクリーンに射突して、蛍光体を発光させる。
【０００３】
図９に示すように、シャドウマスク９５は、矢印９の方向（垂直方向、即ちＹ軸方向）に張力が印加された状態でマスクフレーム９６に溶接されている。シャドウマスク９５には、多数の開孔９０が形成されており、電子ビームはこの開孔９０を通過して蛍光体スクリーンに到達する。
【０００４】
このようなテンション方式のシャドウマスク９５に形成される開孔９０の形状及び配置としては、図１０のように、Ｙ軸方向を長手方向とする略スロット型のほぼ同じ形状の開孔９０を多数配列したものが一般的である。また、シャドウマスクの破断防止と輝度向上のために、図１１のように、Ｙ軸方向の長さが異なる２種類の開孔９０ａ，９０ｂを組み合わせて配列することが提案されている（例えば、特許文献１参照）。
【０００５】
図１０，図１１のいずれにおいても、Ｙ軸方向に隣り合う２つの開孔９０（又は９０ａ、９０ｂ）を仕切るブリッジ９１によって電子ビームが遮断されるので、蛍光体スクリーン上にブリッジ９１による影が形成される。この影の部分では蛍光体は発光しないから、非発光領域となる。このような非発光領域の存在は、表示画像の輝度の低下をもたらす。
【０００６】
従って、表示画像の輝度を向上させるためには、ブリッジ９１のＹ軸方向のピッチを拡大してその数を減少させることが好ましい。
【０００７】
ところが、ブリッジ９１のＹ軸方向ピッチを拡大させると、ブリッジ９１の影のＹ軸方向の間隔も拡大するため、ブリッジの影が認識されやすくなり、画面全体に点在する影が水平方向に連続するように見えて、黒い横縞として認識されてしまう。
【特許文献１】特開昭６３−４３２４１号公報
【発明の開示】
【発明が解決しようとする課題】
【０００８】
一方、電子ビームが蛍光体ストライプを照射するにあたり、シャドウマスクに衝突した電子ビームのうち約２０％がシャドウマスクの開孔を通過するので、残りの約８０％によってシャドウマスクが加熱され、熱膨張する。図９に示したテンション方式のシャドウマスク９５では、Ｙ軸方向に印加された張力がＹ軸方向の熱膨張を吸収することができる。ところが、Ｘ軸方向の熱膨張はブリッジ９１を介して伝達されるので、シャドウマスクの開口９０位置がＸ軸方向に変位して、いわゆるドーミングが発生する。このドーミングにより、開孔９０を通過した電子ビームが蛍光体スクリーン上の所望する蛍光体ストライプを照射できず、いわゆる色ズレが生じるという問題がある。
【０００９】
これを防ぐためには熱膨張のＸ軸方向の伝達を低減すれば良く、熱膨張の伝達に寄与するブリッジ９１の数を減らせば実現できるのではないかと考えられる。ところが、ブリッジ９１の数の減少は、ブリッジ９１のＹ軸方向ピッチの拡大を意味し、上述した横縞模様が発生してしまう。
【００１０】
このように、従来のシャドウマスクでは、横縞模様の低減と、ドーミングによる色ズレの防止とを両立させることは困難であった。
【００１１】
本発明は、上記の従来の問題を解決し、横縞模様及びドーミングによる色ズレが低減され、表示画像品質が向上したカラー陰極線管を提供することを目的とする。
【課題を解決するための手段】
【００１２】
上記の目的を達成するために、本発明のカラー陰極線管は、枠状のフレームと、前記フレームに垂直方向に引っ張り力が付与された状態で架張されたシャドウマスクとを備えたカラー陰極線管であって、前記シャドウマスクは、垂直方向に沿った複数の孔列を有し、前記孔列は、第１開孔と、第２開孔と、第３開孔と、これらの開孔間のブリッジとを有し、前記ブリッジの垂直方向の中心位置を通る水平方向線を水平方向中心線とし、前記第１開孔、前記第２開孔、及び前記第３開孔を垂直方向にそれぞれ挟む一対のブリッジの前記水平方向中心線の垂直方向間隔を順にＰBa、ＰBb、ＰBcとしたとき、ＰBb＝Ｎ１×ＰBa、ＰBc＝Ｎ２×ＰBa（Ｎ１，Ｎ２は自然数、１＜Ｎ１＜Ｎ２）を満足し、水平方向に相互に隣り合う任意の２つの前記孔列に含まれる全ての前記ブリッジについての前記水平方向中心線の垂直方向の間隔が略一定であることを特徴とする。
【発明の効果】
【００１３】
本発明のカラー陰極線管によれば、横縞模様及びドーミングによる色ズレが低減され、表示画像品質が向上したカラー陰極線管を提供することができる。
【発明を実施するための最良の形態】
【００１４】
本発明のカラー陰極線管において、前記孔列に含まれる開孔のうち、垂直方向幅が最も大きな開孔を垂直方向に挟む一対のブリッジの前記水平方向中心線の垂直方向間隔が３ｍｍ以下であることが好ましい。これにより、横縞模様の発生を一層防止できる。
【００１５】
また、本発明のカラー陰極線管において、前記第１開孔、前記第２開孔、及び前記第３開孔の水平方向幅をそれぞれＷa，Ｗb，Ｗcとしたとき、Ｗa＞Ｗb且つＷa＞Ｗcを満足することが好ましい。更には、Ｗa＞Ｗb＞Ｗcを満足することが好ましい。これにより、第１に、蛍光体スクリーンの蛍光体ストライプを、シャドウマスクを露光マスクとして露光法により形成する場合に、均一幅の蛍光体ストライプを容易に形成することができる。第２に、画面全体における輝度差を少なくして、表示画質を向上させることができる。
【００１６】
また、本発明のカラー陰極線管において、水平方向に相互に隣り合う任意の２つの前記孔列にそれぞれ含まれる前記ブリッジが水平方向に並ばないことが好ましい。これにより、ドーミングの発生を一層防止できる。
【００１７】
また、本発明のカラー陰極線管において、水平方向に相互に隣り合う２つの前記孔列からなる繰り返し単位を水平方向に繰り返した開孔配置パターンを有することが好ましい。これにより、シャドウマスクの開孔配置パターンの設計を簡略化できる。
【００１８】
以下、本発明のカラー陰極線管を図面を用いて説明する。
【００１９】
本発明のカラー陰極線管の一実施形態を図１に示す。カラー陰極線管１は、内面に蛍光体スクリーン２ａが形成されたパネル２とファンネル３とからなる外囲器を備える。ファンネル３のネック部３ａには電子銃４が内装されている。蛍光体スクリーン２ａに対向するシャドウマスク５がマスクフレーム６によって支持され、マスクフレーム６はスプリング（図示せず）を介してパネル２の内壁に設けられたパネルピン（図示せず）に取り付けられる。また、電子銃４から射出される３本の電子ビーム７を偏向走査させるために、ファンネル３の外部に偏向ヨーク８が設けられている。以下の説明の便宜のために、管軸をＺ軸、Ｚ軸を通る水平方向軸をＸ軸、Ｚ軸を通る垂直方向軸をＹ軸とするＸＹＺ直交座標系を設定する。
【００２０】
シャドウマスク５とマスクフレーム６とからなる組み立て体を図２に示す。マスクフレーム６は、長辺をなす対向する一対の支持体１０と短辺をなす対向する一対の弾性部材１１とが長方形状の枠体となるように固定されて構成される。シャドウマスク５は、矢印９の方向（垂直方向、即ちＹ軸方向）に張力を印加された状態で一対の支持体１０に溶接されている。シャドウマスク５は、電子ビームが通過する開孔が垂直方向に並んだ孔列１５を水平方向（Ｘ軸方向）に多数有している。
【００２１】
図３は図２の部分IIIの拡大正面図である。各孔列１５は、エッチングにより形成された略長方形状（スロット状）の第１開孔１４ａ，第２開孔１４ｂ，及び第３開孔１４ｃと、これらの開孔間のブリッジ２０とを含む。開孔１４ａ，１４ｂ，１４ｃは、垂直方向幅に関して、１４ａ＜１４ｂ＜１４ｃの関係を満足する。
【００２２】
図３に示すように、ブリッジ２０の垂直方向の中心位置を通る水平方向線を水平方向中心線２１とする。また、開孔１４ａ，１４ｂ，１４ｃを垂直方向にそれぞれ挟む一対のブリッジ２０，２０の水平方向中心線２１，２１の垂直方向間隔を順にＰBa、ＰBb、ＰBcとする。本発明では、Ｎ１，Ｎ２を自然数（１＜Ｎ１＜Ｎ２）としたとき、ＰBb＝Ｎ１×ＰBa、ＰBc＝Ｎ２×ＰBaを満足する。全てのブリッジ２０の垂直方向幅はほぼ一定である。
【００２３】
本発明のカラー陰極線管は、以上のような開孔が形成されたシャドウマスクを備えることにより、横縞模様とドーミングによる色ズレとをともに低減させることができる。以下にこれを説明する。
【００２４】
最初に横縞模様の低減について説明する。
【００２５】
図４（Ａ）は図１０に示した同サイズの開孔９０が多数形成されたテンション方式のシャドウマスクにおいてブリッジ９１の垂直方向ピッチが小さい場合についての図であり、図４（Ｂ）はブリッジ９１の垂直方向ピッチが大きい場合についての図である。図４（Ａ）及び図４（Ｂ）のいずれにおいても、紙面左側に示した図は、開孔９０及びブリッジ９１の配置を示した拡大正面図であり、紙面右側に示した図は、各孔列ごとに求められる、垂直方向に並ぶ開孔９０を通過した電子ビームによって発光する蛍光体の垂直方向における輝度分布曲線のうち、紙面左側に示した水平方向に隣り合う２つの孔列に対応する２つの輝度分布曲線を足し合わせて得た輝度分布図である。隣り合う２つの孔列にそれぞれ対応する２つの輝度分布曲線を足し合わせるのは、隣り合う２つの孔列にそれぞれ対応する蛍光体の発光部分は肉眼で区別しにくい程に水平方向において接近しているからである。
【００２６】
図４（Ａ）及び図４（Ｂ）のいずれにおいても、垂直方向における範囲９７では高い輝度レベルＢHを示し、この範囲９７は隣り合う２つの孔列のいずれにおいても開孔９０が配置されている範囲に対応している。一方、垂直方向における範囲９８では低い輝度レベルＢLを示し、この範囲９８は隣り合う２つの孔列のうちの一方はブリッジ９１が配置されている範囲に対応している。範囲９８において輝度レベルが低下しているのは、ブリッジ９１による影により蛍光体が発光していないためである。
【００２７】
但し、低輝度レベルＢLを示す位置の垂直方向のピッチＰLは図４（Ａ）より図４（Ｂ）の方が大きい。人間の目には輝度差を認識できる解像度限界が存在する。図４（Ａ）のように低輝度レベルＢLの垂直方向ピッチＰLが小さいと、低輝度レベルＢLの部分を認識することができないが、図４（Ｂ）のように低輝度レベルＢLの垂直方向ピッチＰLが大きくなると、低輝度レベルＢLの部分を認識することができる。垂直方向位置が一致するブリッジ９１が水平方向に一定間隔で配置されるので、図４（Ｂ）のようにブリッジ９１の垂直方向ピッチが拡大されると、低輝度レベルＢLの部分が黒い横縞として認識されるのである。なお、シャドウマスクと蛍光体スクリーンとの距離は小さいから、このピッチＰLは後述するブリッジ配置基本間隔ＰCとほぼ一致する。
【００２８】
次に、本発明の開孔配置による作用を説明する。図５の紙面左側に示した図は、開孔１４ａ，１４ｂ，１４ｃ及びブリッジ２０の配置を示した拡大正面図であり、紙面右側に示した図は、各孔列１５ごとに求められる、垂直方向に並ぶ開孔１４ａ，１４ｂ，１４ｃを通過した電子ビームによって発光する蛍光体の垂直方向における輝度分布曲線のうち、紙面左側に示した水平方向に隣り合う２つの孔列に対応する２つの輝度分布曲線を足し合わせて得た輝度分布図である。隣り合う２つの孔列にそれぞれ対応する２つの輝度分布曲線を足し合わせるのは、隣り合う２つの孔列にそれぞれ対応する蛍光体の発光部分は肉眼で区別しにくい程に水平方向において接近しているからである。
【００２９】
本発明のシャドウマスクでは、各孔列１５が垂直方向幅が互いに異なる３つの開孔１４ａ，１４ｂ，１４ｃを備える。そして、開孔１４ａ，１４ｂ，１４ｃを垂直方向にそれぞれ挟む一対のブリッジ２０，２０の水平方向中心線２１，２１の垂直方向間隔ＰBa、ＰBb、ＰBcが、Ｎ１，Ｎ２を自然数（１＜Ｎ１＜Ｎ２）としたとき、ＰBb＝Ｎ１×ＰBa、ＰBc＝Ｎ２×ＰBaを満足する。このために、図５の右側の輝度分布図に示すように、低輝度レベルＢLを示す位置の垂直方向のピッチＰLを小さくすることが容易になる。その結果、横縞模様の発生を抑えることができる。
【００３０】
なお、本実施の形態では、第１開孔１４ａ、第２開孔１４ｂ、第３開孔１４ｃの垂直方向幅がそれぞれ異なる３種類の開孔を有するシャドウマスクについて説明しているが、本発明はこれに限ったものではなく、例えば、これら３種類の開孔の他に更に他の種類の開孔（第４開孔、第５開孔、・・・）を有していてもよい。この場合にも、他の種類の開孔はその垂直方向幅が互いに異なっており、且つ、それぞれの開孔を垂直方向に挟む一対のブリッジの垂直方向間隔ＰBNは、第１開孔を垂直方向に挟む一対のブリッジの垂直方向間隔ＰBaの自然数倍とする。但し、開孔の種類は、少なくとも３種類は必要であるが、開孔の配置の複雑化を避けたい場合には多くなり過ぎないことが好ましい。
【００３１】
更に、図５に示すように、水平方向に相互に隣り合う２つの任意の孔列１５に含まれる全てのブリッジ２０についての水平方向中心線２１が、垂直方向に略一定間隔（この間隔を「ブリッジ配置基本間隔ＰC」と呼ぶ）で配置されることが好ましい。換言すれば、水平方向に相互に隣り合う２つの任意の孔列１５に含まれるいずれのブリッジ２０も、シャドウマスク５上に間隔ＰCで等間隔に配置された多数の水平方向線２１のうちのいずれかにほぼ沿って配置される。ブリッジ２０がこのように配置されることにより、図５の右側図に示したように、低輝度レベルＢLの全ての垂直方向のピッチＰLがシャドウマスクの全体に亘ってほぼ一定となる。シャドウマスクと蛍光体スクリーンとの距離は小さいから、ピッチＰLは間隔ＰCにほぼ一致し、且つこれは垂直方向幅が最も小さな第１開孔１４ａを挟む一対のブリッジ２０，２０の水平方向中心線２１，２１の垂直方向間隔ＰBaとほぼ一致する。この結果、横縞模様の発生を一層抑えることができる。これを実現するためには、例えば、ＰBb＝２×ＰBa、ＰBc＝３×ＰBaとすればよい。
【００３２】
孔列１５は、上記の３種類の開孔１４ａ，１４ｂ，１４ｃ以外のサイズの開孔を有していても良いが、その場合であっても、孔列１５に含まれる開孔のうち、垂直方向幅が最も大きな開孔を垂直方向に挟む一対のブリッジ２０の水平方向中心線２１の垂直方向間隔は３ｍｍ以下であることが好ましい。より好ましくは、孔列１５が含む開孔が上記の３種類の開孔１４ａ，１４ｂ，１４ｃのみであって、第３開孔１４ｃについてのブリッジ間隔ＰBcが３ｍｍ以下であることが好ましい。これにより、低輝度レベルＢLの垂直方向のピッチＰLの拡大を抑えることができるので、横縞模様の発生を一層防止できる。
【００３３】
また、第１開孔１４ａ，第２開孔１４ｂ，及び第３開孔１４ｃの水平方向の開孔幅をそれぞれＷa，Ｗb，Ｗcとすると、Ｗa＞Ｗb且つＷa＞Ｗcを満足することが好ましい。更に、Ｗa＞Ｗb＞Ｗcを満足することがより好ましい。このように、垂直方向幅が小さい開孔ほど水平方向幅を大きく設定することにより以下の効果が得られる。
【００３４】
第１の効果は以下の通りである。蛍光体スクリーン２ａに蛍光体ストライプを形成するための方法として、シャドウマスク５をマスクとして使用して蛍光体ストライプを露光して形成する露光法が一般に使用される。この露光法では、光の照度が異なると形成される蛍光体ストライプの幅に変化が生じる。全ての開孔の水平方向幅が一定の場合には、ブリッジ間隔が狭い開孔を通過した光の照度は、これよりブリッジ間隔が広い長い開孔を通過した光の照度より小さくなる。上記のように、開孔の垂直方向幅が小さいほど、水平方向幅を大きく設定することにより、垂直方向幅の違いに起因する照度差を少なくできるので、蛍光体ストライプを均一幅に形成することができる。
【００３５】
第２の効果は以下の通りである。全ての開孔の水平方向幅が一定の場合には、ブリッジ間隔が狭い開孔を通過した光の照度は、これよりブリッジ間隔が広い長い開孔を通過した光の照度より小さくなる。従って、蛍光体の発光輝度に差が生じる。即ち、高輝度レベルＢHのバラツキが発生しやすい。上記のように、開孔の垂直方向幅が小さいほど、水平方向幅を大きく設定することにより、垂直方向幅の違いに起因する発光輝度の差を少なくできるので、画面全体における輝度差を少なくして、表示画質を向上させることができる。
【００３６】
次に、ドーミングの低減について説明する。
【００３７】
図６は図１０に示した同サイズの開孔９０が多数形成された従来のテンション方式のシャドウマスクにおけるドーミングの発生のしくみを説明するための図である。上述したようにテンション方式のシャドウマスクにおいては、テンション方向（垂直方向）の熱膨張は印加された張力によりほぼ吸収されるから、水平方向の熱膨張が特に問題となる。熱膨張の水平方向の伝達は、ブリッジを介して行われる。例えば、熱膨張によりブリッジ９１ａに水平方向の変位Ｓａが伝達されたとする。この変位Ｓａは、孔列９３ａと孔列９３ｂとの間の領域９４ａ，９４ｂを介してブリッジ９１ｂ，９１ｃに伝達されて、ブリッジ９１ｂ，９１ｃに水平方向の変位Ｓｂ，Ｓｃを生じさせる。このようにブリッジの位置が水平方向に変位することにより、そのブリッジによって挟まれた開孔も水平方向に変位するので、ドーミングが発生し、色ズレが生じる。
【００３８】
図６から分かるように、ドーミングの発生を防止するためには、第１に、水平方向に相互に隣り合う任意の２つの孔列にそれぞれ含まれるブリッジが水平方向に並ばないことが好ましい。更に、第２に、水平方向に相互に隣り合う任意の２つの孔列にそれぞれ含まれるブリッジの垂直方向間隔が離れていることが好ましい。この第２の条件を図７を用いて説明する。
【００３９】
図７は、図１０に示した同サイズの開孔９０が多数形成された従来のテンション方式のシャドウマスクの各孔列におけるブリッジ９１の垂直方向ピッチＰBと、電子ビームを照射時のシャドウマスクの熱膨張によってシャドウマスクのＸ軸上の水平方向端部の水平方向の移動量との関係を示したものである。図７より、ブリッジ９１の垂直方向ピッチＰBが大きくなるとシャドウマスクの熱膨張による端部の水平方向移動量（ドーミング）が減少することが分かる。これは、上述したとおり、シャドウマスクの水平方向の熱膨張がブリッジ９１を介して伝達されていることを意味している。そして、ドーミングによる色ズレを抑えるためには、ブリッジの垂直方向ピッチＰBを拡大することが有効であることが分かる。換言すれば、図６において、ブリッジ９１ａ，９１ｂ，９１ｃの垂直方向の中心位置を通る水平方向線を水平方向中心線９２ａ，９２ｂ，９２ｃとしたとき、これらの垂直方向間隔（ブリッジ配置基本間隔）ＰC（本例ではＰC＝ＰB／２）を拡大することが有効である。ブリッジの垂直方向ピッチＰB及びブリッジ配置基本間隔ＰCを拡大すると、ブリッジの配置密度が減少し、シャドウマスクの開孔率が向上するので、表示画像の輝度の向上にも有効である。
【００４０】
しかしながら、図１０に示した従来のシャドウマスクにおいて、単にピッチＰBや間隔ＰCを拡大すると、図４において説明したように、低輝度レベルＢLの垂直方向ピッチＰLが拡大し、黒い横縞が認識されるという問題が発生する。
【００４１】
図８を用いて本発明がドーミングと横縞模様とを同時に低減できるしくみを説明する。（Ａ）〜（Ｃ）は相互に隣り合う２つの孔列の開孔の配置パターンを示しており、（Ａ）及び（Ｂ）は本発明に対応する実施形態例であり、（Ｃ）は図１０に示した従来のシャドウマスクに対応する。（Ｂ）では、各孔列において第１開孔１４ａ，第２開孔１４ｂ，及び第３開孔１４ｃがこの順に繰り返して配置されているが、（Ａ）では各孔列において第１開孔１４ａ，第２開孔１４ｂ，及び第３開孔１４ｃが複雑に順序を変えて配置されている。比較しやすいように、相互に隣り合う２つの孔列に含まれる全てのブリッジについての水平方向中心線２１の間隔ＰCは、（Ａ）〜（Ｃ）の全てについて同一に設定している。従って、低輝度レベルＢLの垂直方向のピッチＰLも、（Ａ）〜（Ｃ）の全てについて同一であり、横縞模様の見え方もほぼ同一である。
【００４２】
（Ａ）〜（Ｃ）における矩形領域２４は、一方の孔列のブリッジと他方の孔列のブリッジとの間での水平方向変位の伝達に寄与する領域（変位伝達領域）を示しており、これは図６で説明した領域９４ａ，９４ｂに相当する。図８に示したように、相互に隣り合う２つの孔列の間の領域をブリッジの水平方向中心線２１によって１３の領域に区分する。（Ｃ）では、この１３の領域の全てが変位伝達領域２４である（１３／１３×１００＝１００％）。これに対して、（Ａ）では１３の領域のうち変位伝達域２４は、領域１，３，４，６，８，９，１１，１３の８つである（８／１３×１００＝６２％）。また、（Ｂ）では１３の領域のうち変位伝達領域２４は、領域１，３，４，５，７，９，１０，１１，１３の９つである（９／１３×１００＝６９％）。即ち、（Ａ）及び（Ｂ）は、（Ｃ）に比べて、相互に隣り合う２つの列の間の領域において変位伝達領域２４が占める面積割合が小さいので、ドーミングの発生を低減することが可能である。
【００４３】
（Ｃ）に示すような従来の開孔配置の場合には、ドーミングを防止するためにはブリッジ配置基本間隔ＰCを拡大する必要があった。ところが、間隔ＰCを拡大すると、横縞模様が発現するという問題が発生する。これに対して、（Ａ）及び（Ｂ）に示すような本発明の開孔配置であれば、変位伝達領域２４の面積割合が小さいために、ブリッジ配置基本間隔ＰCを拡大しなくてもドーミングの発生を防止できる。しかも、間隔ＰCを拡大する必要がないので横縞模様は発現しない。このように、本発明によれば、ドーミングと横縞模様とを同時に抑制することが可能である。従って、表示画像品質が向上したカラー陰極線管を提供できる。
【実施例】
【００４４】
本発明を画面対角サイズ７６ｃｍのワイド型カラー陰極線管に適用した例を説明する。
【００４５】
図８の（Ａ）、（Ｂ）、（Ｃ）に示した２列の孔列が水平方向に繰り返された開孔配置をそれぞれ有するシャドウマスク（順に、実施例１、実施例２、比較例１とする）を製造した。実施例１，２のシャドウマスクにおいて、開孔１４ａ，１４ｂ，１４ｃを垂直方向にそれぞれ挟む一対のブリッジ２０，２０の水平方向中心線２１，２１の垂直方向間隔ＰBa＝０．７１ｍｍ、ＰBb＝１．４２ｍｍ、ＰBc＝２．１３ｍｍ、開孔１４ａ，１４ｂ，１４ｃの水平方向幅Ｗa＝０．１２５ｍｍ，Ｗb＝０．１２３ｍｍ，Ｗc＝０．１２０ｍｍとした。比較例１のシャドウマスクにおいて、開孔９０を垂直方向にそれぞれ挟む一対のブリッジ９１，９１の水平方向中心線９２，９２の垂直方向間隔ＰB＝１．４２ｍｍ、開孔９０の水平方向幅０．１２０ｍｍとした。孔列の水平方向ピッチは（Ａ）〜（Ｃ）のいずれも０．４９ｍｍとした。（Ａ）〜（Ｃ）において、ブリッジ配置基本間隔ＰC＝０．７１ｍｍで同一とした。
【００４６】
シャドウマスクの開孔配置が異なる以外は同様にして、上記の３種のシャドウマスクを用いてカラー陰極線管を製造した。
【００４７】
実施例１，２及び比較例１のいずれのカラー陰極線管でも、ブリッジの影による黒い横縞模様は認められなかった。画面対角サイズ７６ｃｍのワイド型カラー陰極線管に関する本発明者らの検討では、図４及び図５で説明した低輝度レベルＢLの垂直方向ピッチＰL（≒ＰC）が０．９ｍｍ以下であれば横縞模様は認識されないことを確認している。
【００４８】
一方、ドーミングに関して、シャドウマスクのＸ軸上の端部における開孔の水平方向移動量を測定したところ、比較例１では約９０μｍであったのに対して、実施例１，２ではいずれも約５０μｍであった。
【００４９】
比較例１において、上記の開孔の水平方向移動量を実施例１，２と同じ５０μｍ程度にするためには、ブリッジの垂直方向間隔ＰB＝３．００ｍｍ、ブリッジ配置基本間隔ＰC＝１．５０ｍｍにそれぞれ拡大する必要があり、この場合には、間隔ＰCが横縞模様が発生しない上限である１．０ｍｍを越えることを確認した。
【００５０】
このように、実施例１，２では、横縞模様とドーミングとが同時に低減できることが分かった。
【産業上の利用可能性】
【００５１】
本発明の利用分野は特に限定はなく、一軸方向に架張保持されたシャドウマスクを備えたカラー陰極線管に広く利用することができる。
【図面の簡単な説明】
【００５２】
【図１】本発明のカラー陰極線管の一実施形態を示した側面断面図である。
【図２】本発明のカラー陰極線管に搭載されるシャドウマスクとマスクフレームとからなる組み立て体の一実施形態を示した斜視図である。
【図３】図２の部分IIIの拡大正面図である。
【図４】図４（Ａ）及び図４（Ｂ）は、従来のシャドウマスクにおいて横縞模様が発生するしくみを説明する図である。
【図５】本発明のカラー陰極線管のシャドウマスクが横縞模様の発生を抑制するしくみを説明する図である。
【図６】従来のテンション方式のシャドウマスクにおいてドーミングが発生するしくみを説明する図である。
【図７】従来のテンション方式のシャドウマスクにいて、ブリッジの垂直方向ピッチとドーミングとの関係を示した図である。
【図８】本発明のシャドウマスクがドーミングを抑制できるしくみを説明する図である。
【図９】従来のカラー陰極線管に搭載されるシャドウマスクとマスクフレームとからなる組み立て体の一実施形態を示した斜視図である。
【図１０】従来のカラー陰極線管におけるシャドウマスクに形成された開孔を示した部分拡大正面図である。
【図１１】従来の別のカラー陰極線管におけるシャドウマスクに形成された開孔を示した部分拡大正面図である。
【符号の説明】
【００５３】
１  カラー陰極線管
２  パネル
２ａ  蛍光体スクリーン
３  ファンネル
４  電子銃
５  シャドウマスク
６  マスクフレーム
７  電子ビーム
８  偏向ヨーク
１０  支持体
１１  弾性部材
１４ａ  第１開孔
１４ｂ  第２開孔
１４ｃ  第３開孔
１５  孔列
２０  ブリッジ
２１  ブリッジの水平方向中心線
２４  変位伝達領域
【図１】
2005056712.tif 000003
【図２】
2005056712.tif 000004
【図３】
2005056712.tif 000005
【図４】
2005056712.tif 000006
【図５】
2005056712.tif 000007
【図６】
2005056712.tif 000008
【図７】
2005056712.tif 000009
【図８】
2005056712.tif 000010
【図９】
2005056712.tif 000011
【図１０】
2005056712.tif 000012
【図１１】
2005056712.tif 000013